(57)【特許請求の範囲】
【請求項１】
側端部に裏合決部が形成された外壁材同士が隣り合わせに配置される出隅部において、外壁材の横ずれを防止するための横ずれ防止金具であって、
躯体側に留め付けられる固定片部と、
前記固定片部と直交し、前記固定片部の表面側から外壁材の裏面に向かって伸びる第一の縦片部と、
前記第一の縦片部と直交し、前記第一の縦片部の前記固定片部から遠い側の端部から前記固定片部から遠い側である前記外壁材の前記裏合決部に向かって伸びる第二の縦片部と、
前記第二の縦片部と直交し、前記第二の縦片部の前記固定片部から遠い側の端部から前記固定片部から遠い側に向かって伸び、前記裏合決部の外壁材厚み方向の見込み面部に係合するための係合片部と、を有し、
前記固定片部において、
前記固定片部から前記第一の縦片部が伸びる方向、
及び、
前記第一の縦片部から前記第二の縦片部が伸びる方向、
の二つの方向に直交する方向における上下方向の幅は、
前記第一の縦片部、前記第二の縦片部、及び、前記係合片部の前記上下方向の幅よりも、
広く構成される、
横ずれ防止金具。
【請求項２】
前記外壁材の上縁部に係止させる係止部を有する、
ことを特徴とする請求項１に記載の横ずれ防止金具。
【請求項３】
前記固定片部において、
前記係合片部の上方、及び、下方となる位置に、躯体側への留め付け部が形成される、
ことを特徴とする請求項１又は請求項２に記載の横ずれ防止金具。
【請求項４】
隣り合う外壁材の側端部同士を接合してなる外壁の出隅部の構造であって、
各外壁材の側端部には裏合決部が形成されており、
前記各外壁材の前記裏合決部にそれぞれ係合されるための横ずれ防止金具が躯体側に留め付けられており、
前記横ずれ防止金具は、
前記躯体側に留め付けられる固定片部と、
前記固定片部から外壁材の裏面に向かって伸びる第一の縦片部と、
前記第一の縦片部の端部から前記外壁材の前記側端部に向かって伸びる第二の縦片部と、
前記第二の縦片部の端部に設けられ前記裏合決部の外壁材厚み方向の見込み面部に、に係合するための係合片部と、
を有する構成とする、外壁の出隅部の構造。
【発明の詳細な説明】
【技術分野】
【０００１】
本発明は、窯業系サイディングなどの外壁材にて外壁を構成するための技術に関するものであり、より詳しくは、外壁材の横ずれを防止する金具と、出隅部における外壁材の納まりに関する。
【背景技術】
【０００２】
従来、例えば特許文献１に開示されるように、窯業系サイディングにて構成される平板状の外壁材の横ずれを防止するための金具（横ずれ防止金具）は知られている。
【０００３】
特許文献１では、角波状の金属下地材に留め付けられた外壁板の左右接合部に配設され、外壁板の横ずれを防止する横ずれ防止金具について開示するものであり、金具の一部に設けた片部分（上方当接板，下方当接板）を外壁材の側端面に当接させることで、外壁材の横ずれが防止されることとしている。
【先行技術文献】
【特許文献】
【０００４】
【特許文献１】特開２０１３−１１０５６号公報
【発明の概要】
【発明が解決しようとする課題】
【０００５】
特許文献１に開示されるように、外壁板の左右接合部に配設される横ずれ防止金具であれば、単純に左右接合部に差し込まれる片部分を備える構成により、横ずれ防止を実現できることになる。
【０００６】
しかしながら、図１１（Ａ）（Ｂ）に示すように、外壁材の側端部同士を接合して出隅部を構成する場合には、この接合部において好適な形態の横ずれ防止金具を検討する必要がある。
【０００７】
例えば、図１１（Ａ）に示すように、柱９１と外壁材９２の間に通気層９３が形成されるものにおいて、各外壁材９２，９３の側端部９２ａ，９３ａに当接させる横ずれ防止金具９４，９５を検討すると、片部分９４ａ，９５ａが互いに干渉することになるため、横ずれ防止金具９４，９５を設置することが困難となる。つまり、横ずれ防止金具９５を先に取り付けると、横ずれ防止金具９４を取り付けることができないことになる。
【０００８】
また、仮に、図１１（Ｂ）に示すように、横ずれ防止金具を設けないこととして、地震が生じた際に柱９１に対し外壁材９２が矢印Ａ方向に一度ずれたとする。その後、地震の揺れが収まり、柱９１が矢印Ｂ方向にもどりもとの位置に復帰したとしても、外壁材９２は柱９１との係り合いがないため、柱９１に対してずれた位置のままに残されてしまうことになる。つまり、一度、外壁材９２が横ずれてしまうと、柱９１からずれたままとなってしまうのである。
【０００９】
他方、仮に、図１２に示すように、平面視Ｌ字状の出隅コーナー材９６を使用することによれば、この出隅コーナー材９６が柱９９に固定されることで、出隅コーナー材９６により各外壁材９７，９８の横ずれを防止できる。また、柱９９と出隅コーナー材９６が一体となっているため、地震の際の各外壁材９７，９８の柱９９に対する横ずれ発生は防がれる。
【００１０】
しかしながら、出隅コーナー材９６を用いる場合には、出隅コーナー材９６と各外壁材９７，９８の間の合計二箇所に目地部９６ａ，９６ｂが形成されるため、この二箇所の目地部９６ａ，９６ｂの仕上げを考慮する必要がある。
【００１１】
特に、実際の施行においては、出隅コーナー材９６を柱９９に留め付けた後に平板状の外壁材を横方向に順次並べていくことになるが、出隅コーナー材９６は二つの外装面９６Ａ，９６Ｂを有し、一方の外装面９６Ａの角度が他方の外装面９６Ｂに影響することになる。例えば、仮に、一方の外装面９６Ａの角度が悪かったために目地部９６ｂが開きすぎてしまったような場合には、出隅コーナー材９６の留め付けをやり直す必要性が生じ、さらには、この出隅コーナー材９６やり直しのために、外壁材９７，９８の張り直しまでもが生じてしまうことになる。
【００１２】
このように、出隅コーナー材９６を用いた場合には、出隅コーナー材９６の両側に配置される外壁材９７，９８との取り合いを考慮しなければならず、施工者に大きな施行負担を強いるものであった。
【００１３】
そこで、本発明は以上の問題に鑑み、出隅部において好適に使用可能な横ずれ防止金具について新規な構造を提案するものである。
【００１４】
また、本発明の他の課題として、出隅コーナー材を用いない新規な出隅部の接合構造を提案するものである。
【課題を解決するための手段】
【００１５】
本発明の解決しようとする課題は以上の如くであり、次にこの課題を解決するための手段を説明する。
【００１６】
即ち、請求項１に記載のごとく、
側端部に裏合決部が形成された外壁材同士が隣り合わせに配置される出隅部において、外壁材の横ずれを防止するための横ずれ防止金具であって、
躯体側に留め付けられる固定片部と、
前記固定片部と直交し、前記固定片部の表面側から外壁材の裏面に向かって伸びる第一の縦片部と、
前記第一の縦片部と直交し、前記第一の縦片部の前記固定片部から遠い側の端部から前記固定片部から遠い側である前記外壁材の前記裏合決部に向かって伸びる第二の縦片部と、
前記第二の縦片部と直交し、前記第二の縦片部の前記固定片部から遠い側の端部から前記固定片部から遠い側に向かって伸び、前記裏合決部の外壁材厚み方向の見込み面部に係合するための係合片部と、を有し、
前記固定片部において、
前記固定片部から前記第一の縦片部が伸びる方向、
及び、
前記第一の縦片部から前記第二の縦片部が伸びる方向、
の二つの方向に直交する方向における上下方向の幅は、
前記第一の縦片部、前記第二の縦片部、及び、前記係合片部の前記上下方向の幅よりも、
広く構成される、
横ずれ防止金具とする。
【００１７】
また、請求項２に記載のごとく、前記外壁材の上縁部に係止させる係止部を有することとする。
【００１８】
また、請求項３に記載のごとく、前記固定片部において、  前記係合片部の上方、及び、下方となる位置に、躯体側への留め付け部が形成されることとする。
【００１９】
また、請求項４に記載のごとく、隣り合う外壁材の側端部同士を接合してなる外壁の出隅部の構造であって、
各外壁材の側端部には裏合決部が形成されており、
前記各外壁材の前記裏合決部にそれぞれ係合されるための横ずれ防止金具が躯体側に留め付けられており、
前記横ずれ防止金具は、
前記躯体側に留め付けられる固定片部と、
前記固定片部から外壁材の裏面に向かって伸びる第一の縦片部と、
前記第一の縦片部の端部から前記外壁材の前記側端部に向かって伸びる第二の縦片部と、
前記第二の縦片部の端部に設けられ前記裏合決部の外壁材厚み方向の見込み面部に係合するための係合片部と、
を有する構成とする、外壁の出隅部の構造とする。
【発明の効果】
【００２０】
本発明の効果として、以下に示すような効果を奏する。
【００２１】
即ち、請求項１に記載の発明においては、第二の縦片部における外壁材の反対側と部位に余裕空間を形成することができ、出隅部において近接して設置される横ずれ防止金具，を互いに干渉させずに設置することができる。
【００２２】
また、請求項２に記載の発明においては、横ずれ防止金具を外壁材に仮置きすることができ、両手を自由な状態として横ずれ防止金具の留め付け作業を行うことができる。特に、高所での施工作業が予定されるため、施工性確保の効果は大きいものとなる。
【００２３】
また、請求項３に記載の発明においては、外壁材の上端位置よりも上方に留め付け部を配置することができ、外壁材と干渉させずに横ずれ防止金具を躯体側に留め付けることができる。また、横ずれ防止金具を上下に反転させることで、出隅部において側端部が接合される外壁材のいずれに対しても使用でき、いずれの外壁材についても兼用可能な構成とすることができ、製造コストが低く抑えられると共に、作業者にとって取扱いが容易になり、施工性に優れた構成が実現できる。
【００２４】
また、請求項４に記載の発明においては、第二の縦片部における外壁材の反対側と部位に余裕空間を形成することができ、出隅部において近接して設置される横ずれ防止金具を互いに干渉させずに設置することができる。
【図面の簡単な説明】
【００２５】
【図１】本発明の一実施形態に係る外壁の出隅部の接合構造について示す水平断面図。
【図２】出隅接合部材の納まりついて示す水平断面図。
【図３】出隅接合部材の形状について示す斜視図。
【図４】出隅接合部材の他の実施形態について示す水平断面図。
【図５】（Ａ）は一般部の外壁材の切断による調整の例について示す図。（Ｂ）は出隅部用外壁材の切断による調整の例について示す図。
【図６】は出隅部用外壁材の切断による調整の他の例について示す図。
【図７】横ずれ防止金具の納まりについて示す水平断面図。
【図８】横ずれ防止金具の納まりについて示す縦断面図。
【図９】（Ａ）は横ずれ防止金具と落下規制金具の構造について示す斜視図。（Ｂ）は横ずれ防止金具と落下規制金具を組み合わせた状態について示す図。（Ｃ）は横ずれ防止金具と落下規制金具を組み合わせた状態について示す図。
【図１０】（Ａ）は一方の横ずれ防止金具について余裕空間を形成する例について示す図。（Ｂ）は裏合決部が形成されない外壁材についての実施例について示す図。
【図１１】（Ａ）は横ずれ防止金具の干渉の様子について説明する図。（Ｂ）は地震発生後に外壁材がずれたままの様子について説明する図。
【図１２】出隅コーナー材を用いた場合の出隅部の構造について説明する図。
【発明を実施するための形態】
【００２６】
以下図面を参照し、本発明の実施例について説明する。なお、以下の説明において、位置関係の説明において使用する「裏」の用語は、建物の室内に近い側を意味し、「表」の用語は、その反対である建物の室内から遠い側を意味するものとする。また、図１では、木造枠組壁構法（２×４（ツーバイフォー）工法）の例を用いて説明するが、本発明は、木造軸組構法等の他の構法についても適用することができる。また、出隅部への適用例を用いて説明するが、入隅部についても本発明を適用することは可能である。
【００２７】
図１は、本発明の一実施形態に係る外壁の出隅部の接合構造について示す水平断面図である。出隅部１において、躯体の一部を構成する縦枠２（スタッド）（柱体を構成する角材）には、構造用合板３，４が付設され、構造用合板３，４の表面に透湿防水シート５が貼設される。
【００２８】
構造用合板３，４の室外側には、外壁材１１，２１がその外壁面が互いに直交するように配置され、外壁材１１，２１の上縁部がそれぞれ固定金具４１，４２によって、構造用合板３，４を介して縦枠２に留め付けられる。
【００２９】
固定金具４１，４２は、外壁材１１，２１と透湿防水シート５の間に間隔を形成することで、外壁材１１，２１の裏側に通気層８を形成する。
【００３０】
外壁材１１，２１の側端部１２，２２は近接して配置され、側端部１２，２２における外壁材１１，２１の裏面側に、それぞれ裏合決部１３，２３が形成される。裏合決部１３，２３は互いに対向して配置されており、平面視において略矩形の縦溝空間３０が形成される。
【００３１】
外壁材１１，２１の側端部１２，２２が隣接する接合角部６において、外壁材１１，２１と構造用合板３，４の間には、外壁材１１，２１を接合する出隅接合部材５０（出隅ジョイナー）が配設される。
【００３２】
出隅接合部材５０は、それぞれ外壁材１１，２１の裏面１１ａ，２１ａに間隔を空けて対向する固定片部５１ａ，５２ａを有している。
【００３３】
出隅接合部材５０の固定片部５１ａ，５２ａは、スペーサー３２を介して構造用合板３，４、及び、縦枠２に留め付けられる。
【００３４】
外壁材１１，２１の裏面１１ａ，２１ａと固定片部５１ａ，５２ａの間の空間には、外壁材１１，２１の横ずれを防止するための横ずれ防止金具６１，６２がそれぞれ配設される。
【００３５】
横ずれ防止金具６１，６２は、それぞれ出隅接合部材５０の固定片部５１ａ，５２ａ及びスペーサー３２を介して構造用合板３，４、及び、縦枠２に留め付けられる。
【００３６】
横ずれ防止金具６１，６２は、それぞれ外壁材１１，２１の側端部１２，２２の一部と係合する係合片部を有し、この係合片部が外壁材１１，２１に引っかかるようにして、外壁材１１，２１の横ずれが防止される。
【００３７】
図２及び図３は、一実施形態に係る出隅接合部材５０の詳細構成について示している。
出隅接合部材５０は、図２の紙面と直交する方向に長い長尺の部材であり、本実施形態では、一枚の金属製の板材を板金加工により折り曲げることで、それぞれ異なる機能を発揮させる複数の縦片部を形成している。
【００３８】
なお、出隅接合部材５０は、本実施形態のように、一枚の金属製の板材を板金加工することで複数の縦片部を構成することとするほか、複数の金属製の板材を組み合わせて縦片部を構成することとしてもよい。また、出隅接合部材５０は、金属製の板材にて構成するほか、高い耐候性を有する樹脂成形品にて構成することもできる。
【００３９】
図２及び図３に示すように、本実施例の出隅接合部材５０の水平断面形状は、躯体に固定した状態において、各外壁材１１，２１の表面に対して４５度の角度をなす対称線Ｈを基準に線対称をなすように構成される。
【００４０】
出隅接合部材５０は、外壁材１１の裏面１１ａに対し間隔をあけて対向する固定片部５１ａを有する。固定片部５１ａは、断面Ｌ字状のスペーサー３２を介して構造用合板３、及び、縦枠２にビス５５などの固定具にて留め付けられる。
【００４１】
固定片部５１ａにおいて、外壁材１１の側端部１２に近い側には、外壁材１１の裏面１１ａに向かって伸びる縦片部５１ｂが形成される。
【００４２】
固定片部５１ａにおいて、外壁材１１の側端部１２から遠い側には、外壁材１１の裏面１１ａに向かって伸びる縦片部５１ｆが形成され、縦片部５１ｆの端部が裏面１１ａに当接する。縦片部５１ｆは裏面１１ａに当接した箇所で折り返される。
【００４３】
そして、固定片部５１ａと、縦片部５１ｂと、縦片部５１ｆによって、断面略コ字状の縦溝部５１ｇが形成される。この縦溝部５１ｇに外部から浸入した雨水などは、縦溝部５１ｇを通じて下方へと排出される。なお、縦片部５１ｆが水返し部として機能することで、縦片部５１ｆよりも奥への水の浸入が防がれるものであり、縦片部５１ｆについては、裏面１１ａに当接させない構成とすることも考えられる。
【００４４】
また、縦片部５１ｂにおいて、固定片部５１ａと反対側の端部からは、外壁材１１の側端部１２に向かって伸び、外壁材１１の裏面１１ａに対向する縦片部５１ｃが形成される。縦片部５１ｃと外壁材１１の裏面１１ａの間の隙間には、後述する横ずれ防止金具６１（図７参照）の縦片部６１ｃ（図７参照）を納めることができる。
【００４５】
そして、縦片部５１ｃにはパッキン材５１ｐが貼付され、外壁材１１の裏面１１ａと縦片部５１ｃの間の隙間がパッキン材５１ｐによって塞がれる。このパッキン材５１ｐにより、外部から縦溝部５１ｇ側への水の浸入を効果的に防止することができ、止水性を高めることができる。
【００４６】
また、縦片部５１ｃにおいて、縦片部５１ｂと反対側の端部には、室外側に向かって伸びる縦片部５１ｄが形成される。縦片部５１ｄの室外側の端部には、縦片部５１ｃと反対側に伸びる縦片部５１ｅが形成される。
【００４７】
縦片部５１ｃと縦片部５１ｄは互いに直交し、また、縦片部５１ｄと縦片部５１ｅは互いに直交するように形成される。この内、縦片部５１ｄ，５１ｅで構成される略Ｌ字の形状が、外壁材１１の側端部１２に形成される裏合決部１３の略Ｌ字の形状に沿うように構成されている。なお、裏合決部１３は、外壁材１１の厚み方向の見込み面部１３ｄと、平面視において見込み面部１３ｄと直交する裏面部１３ｅを有し、平面視において略Ｌ字状をなすようにしている。
【００４８】
また、縦片部５１ｃに加え、縦片部５１ｄにもパッキン材５１ｐが貼付されており、裏合決部１３の表面（見込み面部１３ｄ）と縦片部５１ｄの間の隙間がパッキン材５１ｐによって塞がれる。このようにパッキン材５１ｐを縦片部５１ｄにも配置することにより、外部から縦溝部５１ｇ側への水の浸入を効果的に防止することができ、止水性を高めることができる。
【００４９】
また、縦片部５１ｅが裏合決部１３の裏面部１３ｅに当着される構成とすることで、縦片部５１ｅと裏面部１３ｅの間に隙間が形成しないようにすることができ、止水性を高めることができる。
【００５０】
以上の出隅接合部材５０の外壁材１１側における構成は、対称線Ｈを挟んで外壁材２１側においても同様であり、縦片部５１ｅ，５２ｅの端部が連続する部位において角目地部５３が構成される。
【００５１】
角目地部５３は、外壁材１１，２１の側端部１２，２２の間に配置され、側端部１２，２２の間の隙間が角目地部５３によって埋められる。これにより、外壁材１１，２１が隣接する接合角部６において、上下方向に伸びる角目地部５３が外観に現れる。
【００５２】
この角目地部５３は、外壁材１１，２１の間において圧縮して挟まれるものではなく、シーリング材やパッキン材を用いた場合と比較して劣化し難い構成が実現されるため、接合角部６における美観を長期間保つことが可能となる。
【００５３】
また、角目地部５３は、外観に現れるため、外壁材１１，２１と同色系の色により構成されることが好ましい。なお、出隅接合部材５０の全体を外壁材の色と同色系とするほか、角目地部５３の部位のみを外壁材の色と同色系とすることとしてもよい。
【００５４】
さらに、角目地部５３と外壁材１１，２１の間の隙間に水が浸入しようとした場合には、パッキン材５１ｐ，５２ｐによる止水性が発揮されるとともに、仮に、パッキン材５１ｐ，５２ｐを通過してしまった場合でも、縦溝部５１ｇ，５２ｇで捕捉して下方へ水を排出することができ、出隅接合部材５０を通過して外壁材１１，２１の裏面の奥まで水が浸入してしまうことを防止できる。
【００５５】
なお、図４に示すように、外壁材１１，２１の側端面１２ｍ，２２ｍの間に現れる部位について、外壁材１１，２１の表面に対しそれぞれ約４５度をなす表面を有する角面部５３Ａを構成するように、縦片部５１ｅ，５２ｅの間を縦片部５３ａで接続する構成とすることとしてもよい。
【００５６】
この構成によっても、外壁材１１，２１の側端部１２，２２の間の隙間を角面部５３Ａによって埋めることができ、外壁材１１，２１が隣接する接合角部６において、上下方向に伸びる角面部５３Ａ（平目地）が外観に現れる構成を実現できる。
【００５７】
また、図５（Ａ）に示すように、出隅部１に用いられる出隅部用外壁材１１については、その横幅方向Ｗの両側の側端部１２，１４について、それぞれ、裏合決部１３，１５が形成されることとし、また、出隅部以外の一般部に用いる一般部外壁材１６については、その横幅方向Ｗの方側の側端部１７にのみ裏合決部１８が形成されることとする。
【００５８】
これにより、図５（Ａ）に示すように、或るひとつの一般部外壁材１６にて寸法調整を行うことで、全体面幅Ｗｚの寸法調整を行うことができる。
【００５９】
また、図５（Ｂ）に示すように、一連の外壁面において、出隅部１と反対側にある他の出隅部１Ａにも両側の側端部１２，１４に裏合決部１３，１５を有する出隅部用外壁材１１Ａを用い、この出隅部用外壁材１１Ａの側端部１２側を切断して寸法調整を行うこととしてもよい。
【００６０】
また、図５（Ｂ）に示すように、外壁材１１と外壁材１６の間の接合部Ｓａ、及び、外壁材１６，１６の間の接合部Ｓｂにおいては、隣り合う一方の外壁材にのみ裏合決部１５，１８が形成されており、この裏合決部１５，１８に接合役物９の止水部９ａを挿入することで、シーリング材無しに止水性を確保する乾式目地が構成される。
【００６１】
また、上述した調整を施工現場において適宜行うことにより、縦枠２（柱）の芯２ａに接合役物９を配置することで、接合部Ｓｂを芯２ａと一致させる芯納まりによる外壁材の設置が可能となる。
【００６２】
さらに、図６に示すように、出隅部１について出隅部用外壁材１１を使用し、出隅部用外壁材１１を切断して接合部Ｓａにおいて芯納まりを行うこととしてもよい。この場合、接合部Ｓｂと逆向きに接合役物９が設置される。
【００６３】
また、図６においては、出隅部１に配置されて切断される出隅部用外壁材１１の隣に、出隅部用外壁材１１Ｂが配置され、出隅部用外壁材１１Ｂと一般部外壁材１６を隣り合わせて配置する構成としている。このように、出隅部１以外の場所において出隅部用外壁材１１Ｂが用いられることとしてもよい。
【００６４】
以上のように、或る出隅部１において用いる外壁材について、横幅方向Ｗの両側の側端部１２，１４に裏合決部１３，１５が形成される出隅部用外壁材１１を使用し、
図５（Ａ）に示すように、或る出隅部１以外の一般部に用いられる一般部外壁材１６については横幅方向Ｗの片側の側端部１７に裏合決部１８が形成される一般部外壁材１６Ａを使用して、一般部外壁材１６Ａを切断して外壁面の全体面幅Ｗｚを調整する、
又は、
図５（Ｂ）に示すように、或る出隅部１と反対側の出隅部１Ａにも出隅部用外壁材１１Ａを使用し、その他の部位には一般部外壁材１６を使用し、出隅部用外壁材１１Ａ（出隅部用外壁材１１でもよい）を切断して外壁面の全体面幅Ｗｚを調整する、
又は、
図６に示すように、或る出隅部１に使用される出隅部用外壁材１１の隣にも出隅部用外壁材１１Ｂを使用し、その他の部位には一般部外壁材１６を使用し、出隅部用外壁材１１（出隅部用外壁材１１Ｂでもよい）を切断して外壁面の全体面幅Ｗｚを調整する、といった構成が可能となる。
【００６５】
次に、図７乃至図９を用い横ずれ防止金具６１について説明する。
図７は横ずれ防止金具６１，６２の納まりについて示す水平断面図であり、図８は横ずれ防止金具６１の納まりについて示す縦断面図であり、図９（Ａ）〜（Ｃ）は横ずれ防止金具６１の構造について示す斜視図である。
【００６６】
図７乃至図９（Ａ）〜（Ｃ）に示すように、横ずれ防止金具６１は、本実施例の金属製の板材を板金加工により折り曲げることで構成され、それぞれ異なる機能を発揮させる複数の縦片部を有している。
【００６７】
横ずれ防止金具６１は、躯体の一部を構成する構造用合板３に固定され、外壁材１１の裏面１１ａに対向する固定片部６１ａを有している。固定片部６１ａには、その厚み方向に貫通する貫通孔６１ｋが複数個所に設けられており、この貫通孔６１ｋにビスや釘などの固定具６３が差し込まれ、構造用合板３や縦枠２（スタッド）に対して横ずれ防止金具６１が留め付けられる。
【００６８】
固定片部６１ａにおいて、外壁材１１の側端部１２側の端部には、外壁材１１の裏面１１ａに向かって伸びる縦片部６１ｂが形成され、縦片部６１ｂの端部が裏面１１ａに当接する。
【００６９】
また、縦片部６１ｂにおいて、固定片部６１ａと反対側の端部からは、外壁材１１の側端部１２に向かって伸び、外壁材１１の裏面１１ａに対向する縦片部６１ｃが形成される。
【００７０】
そして、縦片部６１ｃにおいて、縦片部６１ｂと反対側の端部には、室外側に向かって伸びる係合片部６１ｄが形成される。この係合片部６１ｄは、外壁材１１の側端部１２に形成される裏合決部１３の見込み面部１３ｄ（奥行き方向の面）に対向し、見込み面部１３ｄに当接することで、外壁材１１の横ずれを防止する機能を果たす。
【００７１】
また、固定片部６１ａにおいて、外壁材１１の側端部１２から遠い側には、外壁材１１の裏面１１ａに向かって伸びる縦片部６１ｆが形成される。
【００７２】
また、縦片部６１ｆの固定片部６１ａと反対側の端部からは、外壁材１１の側端部１２と反対側に向かって伸び、外壁材１１の裏面１１ａに対向する縦片部６１ｅが形成される。
【００７３】
また、横ずれ防止金具６１の固定片部６１ａ、縦片部６１ｂ，６１ｆ、縦片部６１ｅ、及び、縦片部６１ｃの一部は、出隅接合部材５０の縦溝部５１ｇの内側に納められる。これにより、図１に示すように、共に外壁材１１の上縁部に配置される固定金具４１と横ずれ防止金具６１を横方向に並べて配置することができる。
【００７４】
ここで、外壁材１１を強固に留めつけるために、固定金具４１は躯体として機能する縦枠２（スタッド）に対して留め付けられることが好ましく、また、横ずれ防止金具６１についても、外壁材１１の横ずれをしっかりと防止するために、躯体として機能する縦枠２（スタッド）に対して留め付けられることが好ましい。このため、固定金具４１と横ずれ防止金具６１の両方を出隅部に近づけて配置する必要があり、本実施例のように出隅接合部材５０を用いる構成とする場合には、横ずれ防止金具６１を縦溝部５１ｇの内側に納めることで、縦溝部５１ｇの空間を有効利用することが好ましい。
【００７５】
また、図７に示すように、横ずれ防止金具６１，６２において、それぞれ、外壁材１１，１２の裏面１１ａ，１２ａに沿う縦片部６１ｃ，６２ｃを形成し、縦片部６１ｃ，６２ｃの端部に係合片部６１ｄ，６２ｄを形成することによって、縦片部６１ｃ，６２ｃにおける外壁材１１と反対側の部位に余裕空間６１ｙ，６２ｙを形成することができる。
【００７６】
このように余裕空間６１ｙ，６２ｙが確保されることにより、出隅部１において近接して設置される横ずれ防止金具６１，６２を互いに干渉させずに設置することができる。
【００７７】
さらに、図９（Ａ）に示すように、本実施例では、横ずれ防止金具６１の固定片部６１ａの上下方向の中途部に縦片部６１ｂ，６１ｆを配設し、縦片部６１ｂ，６１ｆと連続して他の部位を形成するとともに、固定片部６１ａにおいて係合片部６１ｄよりも上方、及び、下方となる位置にそれぞれ貫通孔６１ｋが形成されることとしている。
【００７８】
これにより、横ずれ防止金具６１の形状を上下対称の形状とすることができ、その上下位置を反転させることにより、出隅部において側端部が接合される外壁材１１，２１のいずれに対しても使用できる。このように、いずれの外壁材１１，２１についても兼用可能な構成とすれば、製造コストが低く抑えられると共に、作業者にとって取扱いが容易になり、施工性に優れた構成が実現できる。
【００７９】
次に、図８及び図９（Ａ）〜（Ｃ）に示す落下規制金具７０について説明する。
この落下規制金具７０は、横ずれ防止金具６１と共に用いられ、横ずれ防止金具６１の留め付けの際に、外壁材１１の裏の隙間（本実施例では、出隅接合部材５０の縦溝部５１ｇ）に落下しないようにするためのものである。
【００８０】
落下規制金具７０には、上板面部７１と、上板面部７１から下方に垂設される縦板面部７２と、縦板面部７２の下端部に連続し上板面部７１と間隔を空けて対向する下板面部７３と、が形成される。
【００８１】
上板面部７１と下板面部７３の間には間隔Ｈ１が確保される。この間隔Ｈ１は、横ずれ防止金具６１の縦片部６１ｂ，６１ｆ、及び、縦片部６１ｃ，６１ｅの縦幅寸法Ｈ２よりも大きく構成される。
【００８２】
また、縦板面部７２は、横幅寸法Ｗ１を有する。この横幅寸法Ｗ１は、横ずれ防止金具６１の縦片部６１ｂ，６１ｆの間の間隔Ｗ２よりも小さく構成される。
【００８３】
このような設計とし、図９（Ａ）に示すように、横ずれ防止金具６１において、固定片部６１ａと縦片部６１ｂ，６１ｆの三面によって囲まれて形成される空間６１ｍに対し、固定片部６１ａに対向する側から縦板面部７２を差し込むことで、図９（Ｂ）に示すように、横ずれ防止金具６１に対して落下規制金具７０が組み合わせられる。
【００８４】
また、上板面部７１と下板面部７３は、横幅寸法Ｗ３を有する。この横幅寸法Ｗ３は、横ずれ防止金具６１の縦片部６１ｂ，６１ｆの間の間隔Ｗ２よりも大きく構成される。
【００８５】
このような設計とし、図８及び図９（Ｂ）に示すように、横ずれ防止金具６１に落下規制金具７０を組み合わせた状態において、上板面部７１が縦片部６１ｂ，６１ｆの上側に位置し、縦片部６１ｂ，６１ｆにて上板面部７１を下側から支えることができる。これにより、横ずれ防止金具６１に落下規制金具７０が係り合い、落下規制金具７０が横ずれ防止金具６１に対し下方へ移動して落下しないように構成される。
【００８６】
さらに、図８及び図９（Ｂ）に示すように、横ずれ防止金具６１に落下規制金具７０を組み合わせた状態において、下板面部７３が縦片部６１ｂ，６１ｆの下側に位置し、下板面部７３にて縦片部６１ｂ，６１ｆを下側から支えることができる。これにより、横ずれ防止金具６１に落下規制金具７０が係り合い、横ずれ防止金具６１が落下規制金具７０に対し下方へ移動して落下しないように構成される。
【００８７】
また、図８及び図９（Ｂ）に示すように、落下規制金具７０の上板面部７１は、外壁材１１の上縁部１１ｆの上面部１１ｇに載置される。また、上板面部７１において、縦板面部７２と反対側の端部には、斜め下方に伸びる傾斜面部７４が形成される。
【００８８】
また、図８に示すように、外壁材１１の上縁部１１ｆには、外壁材１１の表面側を切り欠いてなる合決部１１ｍ（表合決部）が形成されており、合決部１１ｍに傾斜面１１ｎが形成されている。この傾斜面１１ｎに落下規制金具７０の傾斜面部７４の部位が上から乗りかかることで、落下規制金具７０が外壁材１１の上縁部１１ｆに係止される。
【００８９】
そして、以上のようにして、落下規制金具７０の上板面部７１と傾斜面部７４により、外壁材１１の上縁部１１ｆに係止させるための係止部７７が形成され、この係止部７７を外壁材１１の上縁部１１ｆに係止させた状態では、落下規制金具７０の下板面部７３により横ずれ防止金具６１が下側から支えられることで、横ずれ防止金具６１の落下を規制できる。
【００９０】
このように、落下規制金具７０により横ずれ防止金具６１の落下を規制することで、横ずれ防止金具６１を留め付ける際には、落下規制金具７０と横ずれ防止金具６１を組み合わせた状態として外壁材１１に仮置きすることができ、両手を自由な状態として横ずれ防止金具６１の留め付け作業を行うことができる。特に、高所での施工作業が予定されるため、落下規制金具７０による施工性確保の効果は大きいものとなる。
【００９１】
また、仮に落下規制金具７０がなく、横ずれ防止金具６１を仮置きできない場合には、横ずれ防止金具６１を外壁材１１の裏側に落下させてしまう確率が高くなり、仮に落下させてしまうと、外壁材１１の裏側であることから、場合によっては外壁材１１の取り外しが必要なるなど、手間を要することになってしまう。
【００９２】
さらに、以上に説明した横ずれ防止金具６１と落下規制金具７０の構成によれば、図９（Ｂ）（Ｃ）に示されるように、横ずれ防止金具６１の上下位置を反転させて落下規制金具７０を組み付けることにより、出隅部において側端部が接合される外壁材１１，２１のいずれに対しても使用できる。このように、いずれの外壁材１１，２１についても兼用可能な構成とすれば、製造コストが低く抑えられると共に、作業者にとって取扱いが容易になり、施工性に優れた構成が実現できる。
【００９３】
なお、以上の実施形態では、横ずれ防止金具６１と別体の落下規制金具７０を組み合わせることとしたが、外壁材１１の上縁部１１ｆに係止させるための係止部７７と同様の部位を横ずれ防止金具６１に一体的に設ける構成とすることも考えられる。
【００９４】
以上のようにして本発明を実施することができる。
即ち、図１乃至図３の実施例に示すように、
互いに直交して隅部（出隅部１）を構成する二枚の外壁材１１，２１と、
二枚の外壁材の間に露出される目地部（角目地部５３）を有する接合部材（出隅接合部材５０）と、
を有してなる外壁の隅部の構造とするものである。
【００９５】
これにより、シーリング材やパッキン材を用いた場合と比較して劣化し難い構成が実現されるため、接合角部６における美観を長期間保つことが可能となる。
【００９６】
また、図２及び図３に示すように、
出隅接合部材５０は、
外壁材１１の裏側において、
外壁材１１の厚み方向Ｄに伸びる縦片部５１ｆを有する、こととしている。
【００９７】
これにより、外壁材１１の裏側において縦片部５１ｆを超えて水が浸入してしまうことを防止することができ、止水性を確保することができる。
【００９８】
また、図２に示すように、
外壁材１１の裏面１１ａと、
裏面１１ａと対向する出隅接合部材５０の縦片部５１ｃの間に、
パッキン材５１ｐが配設される、こととしている。
【００９９】
これにより、パッキン材５１ｐによる止水性を発揮することができる。また、パッキン材５１ｐが外壁材１１の裏側に配置されるため、外観に現れることなく、出隅部１において、出隅接合部材５０の角目地部５３と外壁材１１，２１による意匠性に優れた納まりを実現できる。
【０１００】
また、図５（Ａ）（Ｂ）、図６に示すように、隅部（出隅部１）に配置される外壁材１１、又は、隅部に配置される外壁材１１の隣の外壁材１１Ｂ（図６）は、矩形板状に構成され、横幅方向Ｗの両側の側端部１２，１４について、それぞれ、裏合決部１３，１５が形成されることとするものである。
【０１０１】
これにより、図５（Ａ）に示すように、出隅部以外の一般部に用いられ横幅方向Ｗの片側の側端部１７に裏合決部１８が形成される外壁材１６を切断する、又は、図５（Ｂ）に示すように、或る出隅部１と反対側の出隅部１Ａに用いる両側に裏合決部１３，１５が形成される外壁材１１Ａを切断する、又は、出隅部１の外壁材１１の隣の両側に裏合決部１３，１５が形成される外壁材１１Ａを切断することにより、外壁面の全体面幅Ｗｚを調整することが可能となる。
【０１０２】
また、図７乃至図９に示すように、
出隅部１において側端部１２，２１同士が接合される外壁材１１，２１の横ずれを防止するための横ずれ防止金具６１であって、
躯体側に留め付けられる固定片部６１ａと、
固定片部６１ａから外壁材１１の裏面に向かって伸びる第一の縦片部６１ｂと、
第一の縦片部６１ｂの端部から外壁材１１の側端部１２に向かって伸びる第二の縦片部６１ｃと、
第二の縦片部６１ｃの端部に設けられ側端部１２に係合するための係合片部６１ｄと、
を有する横ずれ防止金具６１とするものである。
【０１０３】
これにより、第二の縦片部６１ｃ，６２ｃにおける外壁材１１，２１の反対側と部位に余裕空間６１ｙ，６２ｙを形成することができ、出隅部１において近接して設置される横ずれ防止金具６１，６２を互いに干渉させずに設置することができる。
【０１０４】
また、外壁材１１，２１の上縁部１１ｆに係止させる係止部７７を有する、こととするものである。
【０１０５】
これにより、横ずれ防止金具６１を外壁材１１に仮置きすることができ、両手を自由な状態として横ずれ防止金具６１の留め付け作業を行うことができる。特に、高所での施工作業が予定されるため、施工性確保の効果は大きいものとなる。
【０１０６】
また、固定片部６１ａにおいて、係合片部６１ｄの上方、及び、下方となる位置に、躯体側への留め付け部となる貫通孔６１ｋが形成されることとしている。なお、貫通孔６１ｋは形成されずに、施工時に孔加工をすることとしてもよく、この場合、固定片部６１ａの板面が留め付け部として機能することになる。
【０１０７】
これにより、外壁材１１の上端位置１１ｋよりも上方に留め付け部となる貫通孔６１ｋを配置することができ、外壁材１１と干渉させずに横ずれ防止金具６１を躯体側（縦枠２、構造用合板３）に留め付けることができる。また、横ずれ防止金具６１を上下に反転させることで、出隅部において側端部が接合される外壁材１１，２１のいずれに対しても使用でき、いずれの外壁材１１，２１についても兼用可能な構成とすることができ、製造コストが低く抑えられると共に、作業者にとって取扱いが容易になり、施工性に優れた構成が実現できる。
【０１０８】
また、図７乃至図９に示すように、
隣り合う外壁材１１，２１の側端部１２，２１同士を接合してなる出隅部１の構造であって、
各外壁材１１，２１の側端部１２，２１には、
躯体側に留め付けられる横ずれ防止金具６１，６２の係合片部６１ｄ，６２ｄが係合され、
横ずれ防止金具６１，６２の少なくとも一方は、
躯体側に留め付けられる固定片部６１ａ，６２ａと、
固定片部６１ａから外壁材１１の裏面に向かって伸びる第一の縦片部６１ｂ，６２ｂと、
第一の縦片部６１ｂ，６２ｂの端部から外壁材１１の側端部１２に向かって伸びる第二の縦片部６１ｃ，６２ｃと、
第二の縦片部６１ｃ，６２ｂの端部に設けられ側端部１２，２２に係合するための係合片部６１ｄ，６２ｄと、
を有する構成とする、出隅部１の構造とするものである。
【０１０９】
これによれば、第二の縦片部６１ｃ，６２ｃにおける外壁材１１，２１の反対側と部位に余裕空間６１ｙ，６２ｙを形成することができ、出隅部１において近接して設置される横ずれ防止金具６１，６２を互いに干渉させずに設置することができる。
【０１１０】
なお、図７の例では、二つの横ずれ防止金具６１，６２について第二の縦片部６１ｃ，６２ｃを有する構成とし、いずれの横ずれ防止金具６１，６２についても余裕空間６１ｙ，６２ｙを構成することとしたが、図１０（Ａ）に示すように、一方の横ずれ防止金具防止金具６１Ａについて余裕空間６１ｙを形成することによれば、他方の横ずれ防止金具６２Ａについては余裕空間を形成しなくても、二つの横ずれ防止金具６１Ａ，６２Ａを干渉させずに設置することができることになる。
【０１１１】
また、図７の例では、外壁材１１について裏合決部１３を形成し、係合片部６１ｄが見込み面部１３ｄに係合する例としたが、図１０（Ｂ）に示すように、裏合決部が形成されない外壁材１１Ｂ，２１Ｂの側端面１２ｍ，２２ｍに対して係合片部６１ｄ，６２ｄが係合される構成としてもよい。
【産業上の利用可能性】
【０１１２】
本発明の構成は、窯業サイディングなどの板状の外壁材を用いる場合において、出隅部を構成する場合に広く適用することができる。
【符号の説明】
【０１１３】
１    出隅部
２    縦枠
３    構造用合板
５    透湿防水シート
６    接合角部
１１    外壁材
５０    出隅接合部材
５１ｐ    パッキン材
５３    角目地部
６１    横ずれ防止金具
６１ｙ    余裕空間
７０    落下規制金具
７７    係止部
【図１】
0006423986.tif 000002
【図２】
0006423986.tif 000003
【図３】
0006423986.tif 000004
【図４】
0006423986.tif 000005
【図５】
0006423986.tif 000006
【図６】
0006423986.tif 000007
【図７】
0006423986.tif 000008
【図８】
0006423986.tif 000009
【図９】
0006423986.tif 000010
【図１０】
0006423986.tif 000011
【図１１】
0006423986.tif 000012
【図１２】
0006423986.tif 000013